(57)【要約】      （修正有）【課題】巻き上げ式シャッターのスラットに薄形のＬＥＤ表示板を設けるもので、同じくスラットにバッテリーやソーラーパネルで電源を確保して使用できるシャッターディスプレイを提供する。【解決手段】巻き上げ式シャッターのスラットに着脱自在に取り付けるべく、ＬＥＤ表示板２とバッテリー３とからなること。ソーラーパネル４やスピーカーＳを付設してなること。前記ＬＥＤ表示板に制御部６を設けてなること。シャッターを巻き上げた時に、ＬＥＤ表示板やバッテリーに傷が付かないよう保護部５として透明なカバーを設けてなることを特徴とするシャッターディスプレイ１。【選択図】図１
0003232946.tif 000002
【実用新案登録請求の範囲】
【請求項１】
巻き上げ式シャッターのスラットに着脱自在に取り付けるべく、ＬＥＤ表示板とバッテリーとからなるシャッターディスプレイ。
【請求項２】
ソーラーパネルやスピーカーを付設してなることを特徴とする請求項１記載のるシャッターディスプレイ。
【請求項３】
前記ＬＥＤ表示板に制御部を設けてなることを特徴とする請求項１又は２記載のシャッターディスプレイ。
【請求項４】
シャッターを巻き上げた時に、ＬＥＤ表示板やバッテリーに傷が付かないよう保護部を設けてなることを特徴とする請求項１、２又は３記載のシャッターディスプレイ。
【考案の詳細な説明】
【技術分野】
【０００１】  本考案は、主巻き上げ式シャッターのスラットに取り付けるシャッターディスプレイに関するものである。
【背景技術】
【０００２】  従来の技術としては、表面に広告表示領域を有する開閉自在なシャッターを備える店舗と、シャッターの広告表示領域に広告掲示を希望するクライアントと、店舗ごとの広告表示領域をデータベース化して管理する広告仲介組織と、シャッターの広告表示領域に広告表示機能を備えたシャッター用ディスプレイ装置を施工する施工組織とを備え、広告仲介組織はインターネットに接続するＷｅｂサーバを介して店舗の広告表示領域の情報を公開し、クライアントはインターネットにてＷｅｂサーバにアクセスして希望する店舗の広告表示領域の情報を検索し申し込むものがある。（特許文献１参照）【０００３】  また、別の従来技術として、ディスプレイカーテンは、建物等に敷設され水平方向に移動して開閉自在なシャッターに沿ってシャッター前面の上下にそれぞれ配設された上部カーテンレールと下部カーテンレールと、この上下のカーテンレール間に着脱自在に配設され表面に表示体を形成してなるディスプレイシートから構成され、ディスプレイシートがカーテンレールに沿って移動してシャッターの前面を開閉自在に覆うことができるものがある。（特許文献２参照）
【先行技術文献】
【０００４】
【特許文献１】特開２００４−３２５９９１号公報
【特許文献２】特開２００９−３０３４１号公報
【考案の概要】
【考案が解決しようとする課題】
【０００５】  前者の従来技術は、シャッターの前面（全面）にディスプレイシートを設けてなるもので、本考案のようなシャッターのスラットに設けるものではなく、作用・効果も異なるものである。【０００６】  また、後者の従来技術は、シャッターにカーテンレールを設け、これにディスプレイシートを設けてなるもので、これもまた、本考案のような作用・効果を有するものではない。【０００７】  本考案は、このような従来の構成が有する問題を解決するもので、主に巻き上げ式シャッターのスラットに薄形のＬＥＤ表示板を設けるもので、同じくスラットにバッテリーやソーラーパネルで電源を確保して使用できるシャッターディスプレイを提供することを目的とする。
【課題を解決するための手段】
【０００８】  本考案は、上記目的を達成するために、巻き上げ式シャッターのスラットに着脱自在に取り付けるべく、ＬＥＤ表示板とバッテリーとからなること。ソーラーパネルやスピーカーを付設してなること。前記ＬＥＤ表示板に制御部を設けてなること。シャッターを巻き上げた時に、ＬＥＤ表示板やバッテリーに傷が付かないよう保護部として透明なカバーを設けてなることを特徴とする。
【考案の効果】
【０００９】１）、シャッターのスラットに、ＬＥＤ表示板を着脱自在に設けるもので、１枚のスラットから複数枚のスラットに、必要に応じて取り付けできる。
２）、バッテリーやソーラーパネルも同じくスラットに取り付けることができ、場所を取らない。
３）、ちょっとしたサインに向いている。
４）、制御部により、スマートフォン等のアプリからの遠隔操作によりＬＥＤ表示板のデータ等を変更できると共に、音声も発信できる。
５）、保護部（透明なカバー等）を設けることにより、シャッター巻き上げ時にシャッターディスプレイを破損することがない。
【図面の簡単な説明】
【００１０】
【図１】  本考案の一実施例を示すシャッターディスプレイの構成図。
【図２】  本考案の一実施例を示すシャッターディスプレイの側面図。
【図３】  本考案の一実施例を示すシャッターディスプレイの使用状態の側面図。
【図４】  本考案の一実施例を示すシャッターディスプレイの使用状態の正面図。
【考案を実施するための形態】
【００１１】  シャッターディスプレイ１は、巻き上げ式シャッターＳＴの連結部Ｒ間にあるスラットＳＲに着脱自在に取り付けるＬＥＤ表示板２とバッテリー３とソーラーパネル４とからなり、巻き上げ時の傷から守るべく透明なカバーからなる保護部５から構成される。
【００１２】  ＬＥＤ表示板２は、全面を光らせ、アルファベットａや文字・数字・記号等を抜いた部分からの光が放射され、アルファベットａ等が見える形態や、アルファベットａの形板の表面にＬＥＤを配置してアルファベットａ自体を光らせて表示する形態が考えられる。
【００１３】  なお、ＬＥＤ表示板２・バッテリー３・ソーラーパネル４の厚みは薄くすることが望ましく、５ｍｍ以下とする。
また、必要に応じて制御部６を設け、スマートフォン等のアプリから遠隔操作にて、データ等の変更もでき、かつ、スピーカーＳより音声発生もできる。
【００１４】  次に、シャッターディスプレイ１の使用例について説明する。
巻き上げ式シャッターＳＴの連結部Ｒ間にあるスラットＳＲに、まず、ＬＥＤ表示板２・バッテリー３・ソーラーパネル４を両面テープ等で貼り付ける。
その後、透明なカバーによる保護部５を貼り付ける。
【００１５】  この状態で、必要な時間帯に使用（表示）した後は、巻き上げ式シャッターＳＴを巻き上げる（Ｍ）が、この時、透明カバーによる保護部５にて、ＬＥＤ表示板２等は、保護されるものである。
【００１６】  なお、ＬＥＤ表示板２に制御部６を設け、スマートフォン等のアプリからの遠隔操作も行えるものである。
また、ＬＥＤ表示板２の大きさや表示内容、取り付け数は、必要に応じて決めればよい。
さらに、バッテリー３やソーラーパネル４の容量や性能等も必要に応じて決めればよい。
さらにまた、保護部も透明なカバーではなく、周囲に各部位の厚みより長いピンを突設して保護するのも一考である。
なお、取り付ける巻き上げ式シャッターは軽量シャッターや防火シャッター等、特に限定するものではない。
【符号の説明】
【００１７】１―――シャッターディスプレイ
２―――ＬＥＤ表示板
３―――バッテリー
４―――ソーラーパネル
５―――保護部
６―――制御部
ＳＴ――巻き上げ式シャッター
ＳＲ――スラット
Ｓ―――スピーカー
【図１】
0003232946.tif 000003
【図２】
0003232946.tif 000004
【図３】
0003232946.tif 000005
【図４】
0003232946.tif 000006